(57)【要約】 【課題】  引き違い戸と同様に、戸先錠を備えた引戸においても、不正解錠の防止を図ることができること。【解決手段】  一つの引戸に内外のシリンダーを上下方向に所要間隔を有して内装するように横設し、内側シリンダーをキーで操作すると、連動部材に係合しているクラッチボタンのクラッチ状態を解消させることができるように動力変換上下動部材の移動方向に対して交差方向へ移動する制御板を連動部材と動力変換上下動部材の間に組込み、また、連動部材の一端部には、外側シリンダーの伝動歯車と噛合するラックが連結されていることを特徴とする建具用戸先錠。【選択図】  図４
2005120606.tif 000002
【特許請求の範囲】
【請求項１】
一つの引戸に内外のシリンダーを上下方向に所要間隔を有して内装するように横設し、また、該引戸の室外側内部空間に取付け収納体を設け、該取付け収納体に前記内側シリンダーの駆動力を変換する動力変換上下動部材を組込み、一方、該引戸の室内側内部空間に支持筒或いは嵌合筒部を有するサムターンを設け、このサムターンと前記嵌合筒部に組込まれたクラッチボタンを介して連動する施錠片用連動部材を前記取付け収納体に上下動可能に取付け、また、内側シリンダーをキーで操作すると、連動部材に係合している前記クラッチボタンのクラッチ状態を解消させることができるように動力変換上下動部材の移動方向に対して交差方向へ移動する制御板を連動部材と動力変換上下動部材の間に組込み、さらに、前記連動部材の一端部には、外側シリンダーの伝動歯車と噛合するラックが連結されていることを特徴とする建具用戸先錠。
【請求項２】
請求項１に於いて、内外のシリンダーは、一枚のサムターン用外枠部材にそれぞれ形成した嵌合部に一端部がそれぞれ支持されていることを特徴とする建具用戸先錠。
【請求項３】
請求項１に於いて、外側シリンダーは、一端部が凹所状嵌合部に支持されていると共に、その余の部分は、外枠部材に固着手段を介して固定されたシリンダー用固定筒に支持されている。
【発明の詳細な説明】
【技術分野】
【０００１】
本発明は、建具用戸先錠に関する。一般に、「戸先錠」とは、建具の開口部の縦枠に衝突する引戸の先に取付けられる錠前のことである。
【背景技術】
【０００２】
建具の一例としての引き違い戸には、普通一般に内側引戸の框に外側引戸の受け金具と係合する施錠片を動かすための操作体（サムターン）が設けられている。例えば中央部に摘みを有する垂直板状のサムターンを下方へスライドさせると、取付け箱に設けられた連動部材を介して施錠片としての鎌片が掛合する方向へと突出回転する。これに対してサムターンを上方方向へスライドさせると施錠片は後退方向へと回転する。
【０００３】
そこで、今仮に泥棒が留守宅に忍び込もうとしてガラスの一部をくり抜き、当該くり抜き部分から手を入れて内側のサムターンを操作した場合には、簡単に不正解錠が行われる可能性がある。
【０００４】
これを防止するために、外出する際に「サムターンの摘みを取り外す考え方」がある。確かに、摘みを取り外すと、泥棒はガラスをくり抜いても外から容易にサムターンをスライドさせることができないので、不正解錠に時間がかかり過ぎ、泥棒は室内に侵入するのを諦める可能性がでてくるという利点はある。
【０００５】
しかしながら、相手は泥棒であるから、摘みがなくてもサムターンを移動させる可能性が残っている。また、摘みを取り外した場合、その保管場所に困り、時には「どこに摘みを置いたか」判らないことも日常的な経験則である。
【０００６】
そこで、出願人は、泥棒が仮にガラスをくり抜き、手を差入れてサムターンをスライドさせても建具に設けた錠前の施錠状態を解消させることができない建具用（特に引き違い戸用）サムターン係脱機構を提案した(特開２００３−２７７９９号公報)。
しかし、泥棒がガラスの一部をくり抜き、当該くり抜き部分から手を入れて内側のサムターンを操作する場合は、引き違い戸に限らないのであって、戸先錠も同様のことが言える。
【０００７】
そこで、現在、前記先行技術を踏まえつつ、戸先錠にも応用することが期待されている。この場合、1枚の引戸にサムターン係脱機構用の内側シリンダーと施錠片出没用の外側シリンダーとを取付け、スペースを有効的に活用するために一つの連動部材(例えば鎌片出没用上下動部材)を共用することが望まれる。また、サムターン用外枠部材（座体）に内外のシリンダーを他の関連部材と共に合理的に組み込むことが要望されている。
【特許文献１】特開２００３−２７７９９号公報
【発明の開示】
【発明が解決しようとする課題】
【０００８】
本発明の第１の目的は、一つの施錠片用連動部材を共用し、引戸の錠前装着用の内部空間を有効的に活用することである。第２の目的は、サムターン用外枠部材に内外のシリンダーを他の関連部材と共に合理的に組み込むことである。第３の目的は、戸先錠に於いて、泥棒が仮にガラスをくり抜き、手を差入れてサムターンをスライドさせても建具に設けた錠前の施錠状態を解消させることができないことである。第４の目的は、外側シリンダーの駆動力を簡単かつ合理的な構成により、施錠片(例えば鎌片)用の連動部材に伝達することである。
【課題を解決するための手段】
【０００９】
本発明の建具用戸先錠は、一つの引戸に内外のシリンダーを上下方向に所要間隔を有して内装するように横設し、また、該引戸の室外側内部空間に取付け収納体を設け、該取付け収納体に前記内側シリンダーの駆動力を変換する動力変換上下動部材を組込み、一方、該引戸の室内側内部空間に支持筒或いは嵌合筒部を有するサムターンを設け、このサムターンと前記嵌合筒部に組込まれたクラッチボタンを介して連動する施錠片用連動部材を前記取付け収納体に上下動可能に取付け、また、内側シリンダーをキーで操作すると、連動部材に係合している前記クラッチボタンのクラッチ状態を解消させることができるように動力変換上下動部材の移動方向に対して交差方向へ移動する制御板を連動部材と動力変換上下動部材の間に組込み、さらに、前記連動部材の一端部には、外側シリンダーの伝動歯車と噛合するラックが連結されていることを特徴とする。
【発明の効果】
【００１０】
（１）引き違い戸と同様に、戸先錠を備えた引戸においても、不正解錠の防止を図ることができる。特に、一つの施錠片用連動部材を共用し、一枚の引戸の錠前装着用の内部空間を有効的に活用することができる。
（２）サムターン用外枠部材に内外のシリンダーを他の関連部材と共に合理的に組み込むことができる。
（３）戸先錠に於いて、泥棒が仮にガラスをくり抜き、手を差入れてサムターンをスライドさせても建具に設けた錠前の施錠状態を解消させることができない。
（４）外側シリンダーの駆動力を簡単かつ合理的な構成により、施錠片(例えば鎌片)用の連動部材に伝達することである。
【発明を実施するための最良の形態】
【００１１】
以下、図１乃至図１５に示す本発明を実施するための最良の形態により説明する。
【００１２】
（１）発明の実施の環境
図１は発明の実施の環境を示す概略説明図である。図１に於いて、Ｘは建具用戸先錠である。この戸先錠Ｘには内側シリンダー１０を備えたサムターン係脱機構Ｙが内装されている。１は戸先錠Ｘの取付け対象である１枚の引戸である。この引戸１の先端部の切り彫りした空間或いは錠前装着用の内部空間２に戸先錠Ｘが設けられている。３は建具の開口部の縦枠Ｚに設けられた受け金具で、この受け金具３には戸先錠Ｘの施錠片（例えば鎌片）４の先端部が回転掛合（係合）する。Ｗは壁である。
【００１３】
本発明では、一つの引戸１に内外のシリンダーを上下方向に所要間隔を有して内装するように横設している。また、施錠片４用の連動部材が、内側シリンダーの駆動力のみならず外側シリンダーの駆動力によっても上下動することができるように、該連動部材の一端部には、外側シリンダーの伝動歯車と噛合するラックが連結されている。以下、本発明の特定要件について順次説明するが、細部的な事項は図面及びその説明を割愛する。
【００１４】
（２）内側シリンダー
図３及び図４で示すように、１０は一つの引戸１に内装するように横設され、かつ、サムターン用外枠部材（座体）５の嵌合部（例えば横向き凹所）６に一端部が嵌合する内側シリンダーである。この内側シリンダー１０の他端部（引戸１の室外側１ａの端部）から突出する駆動軸には、動力変換機構の一部を構成する駆動歯車（ピニオン）１３が設けられている。この内側シリンダー１０は、例えば外側シリンダーにも使える共用キー１４によってその駆動軸が回転する。なお、符号１ｂは、引戸１の室内側１ｂである。
【００１５】
（３）取付け収納体
取付け収納体１５は、引戸１の室外側内部空間に固定的に設けられている。取付け収納体１５の形態に関しては任意に形成することができるが、他の部材との関係で案内固定軸用軸孔、上下動部材用案内部などが適宜に設けられている。
【００１６】
本実施例の取付け収納体１５は、図５で示すように、断面チャンネル形状に形成され、対向側壁の適宜部位には、案内固定軸１６用の軸孔１７．１７が形成されている。案内固定軸１６は、後述する水平移動可能な制御板２５を案内する。
【００１７】
（４）動力変換上下動部材
２０は取付け収納体１５に組込まれた動力変換上下動部材である。この動力変換上下動部材２０は、図５で示すように縦長ブロック形状の係合駆動部２１と、この係合駆動部２１の一側壁から垂直板状に上方に延びるラック部２２とから成る。
【００１８】
しかして、係合駆動部２１の左右の側壁には、上下に所要の間隔を有して一対の突起軸２３，２３が設けられ、取付け収納体１５に内装される。一方、動力変換機構の一部を構成するラック部２２は、取付け収納体１５の側壁に沿って内側シリンダー１０の駆動歯車１３に噛合する。２４は、案内固定軸１６と干渉しないように前記係合駆動部２１の一側壁に形成された切欠部である。
【００１９】
（５）制御板
２５は取付け収納体１５の適宜箇所（例えば中央部）に内装された制御板である。制御板２５は上下の端面がチャンネル形状（コ字型）に形成され、動力変換上下動部材２０或いは取付け収納体１５に対して水平移動可能に設けられている。図５で示すように、２６は左右の側壁の中央部にそれぞれ形成され、かつ、取付け収納体１５に横設軸架された案内固定軸１６に係合する左右一対の水平案内長孔である。また２７．２７は左右の側壁の上下部にそれぞれやや斜めの状態に形成され、かつ、動力変換上下動部材２０の左右の突起２３，２３が係合する複数個の傾斜案内長孔である。
【００２０】
制御板２５は動力変換上下動部材２０が駆動歯車１３の駆動力により鉛直方向に昇降動すると、左右の突起２３，２３の位置が上方又は下方へと移行することになるから、カム機能を有する傾斜案内長孔２７，２７によって進退動をする。この時制御板２５は、取付け収納体１５の突起軸１６，１６に水平案内長孔２６，２６が係合しているので、案内固定軸１６に支持された状態で水平移動する。
【００２１】
（６）連動部材
施錠片(例えば鎌片)用の連動部材３０は、Ｌ型部分を有する長板枠状に形成されている。この連動部材３０も動力変換上下動部材２０と同様に取付け収納体１５内に上下方向へとスライド可能に内装されている。この連動部材３０の構成に関しては、主に本発明の特定要件との関係する部分に絞って説明する。
【００２２】
まず、３１は縦長端板で、この縦長端板３１の上端部は任意に折り曲げ形成され、かつ、一部に切欠を設けて形成した突片状の連結係合部３２が設けられている。また、該連結係合部３２よりも下方の適宜部位には、案内固定軸１６用の垂直案内長孔３３が形成されている。
【００２３】
次に、３５は前壁（縦長端板に対する交差板）である。ここでは説明の便宜上、サムターンとの関係で前壁３５と称する。この前壁３５の上端部側には、逃し用垂直案内長孔３６が形成され、該垂直案内長孔３６の略中央部には、該垂直案内長孔よりも大径の係合孔３７が連通形成されている。前述した制御板２５及び動力変換上下動部材２０は、この連動部材３０を基準にして可動する。
【００２４】
次に、３８は連動部材３０の下端部に設けられた可動軸で、施錠片４の幅広後端部はこの可動軸３８に、例えばＴ字型状係合孔を介して係合している。前述したように、取付け収納体１５の下端部には軸孔が形成されているが、これらの軸孔に施錠片用の支軸３９が取付けられる。施錠片４は所定位置にてこの支軸３９を介して回転する。
【００２５】
なお、施錠片用連動部材３０は、後述のサムターンと係合した場合には上下に連動するので、本実施例では支軸３９が邪魔にならないように前壁３５の下端部を指先状に切欠形成してある。
【００２６】
（７）サムターン
次にサムターン７について説明する。サムターン７は、前述した外側部材５と内側の受け部或いは受け部材５ａとの間を上下動するスライド部７ａと、このスライド部７ａの外壁面端部寄りの部位に突設された摘み部７ｂと、前記スライド部７ａの上端部側に摘み部とは反対側に形成されたクラッチボタン用支持筒或いは嵌合筒部４０と、この嵌合筒部４０にバネ４２に付勢された状態で組込まれたクラッチボタン４３と、このクラッチボタン４３が外れないように固着手段４１を介して嵌合筒部４０の端面に固定された矩形状小支持板４４とから構成されている。
【００２７】
しかして、図６で示すように、前記クラッチボタン４３は、フランジ部４３ａと、このフランジ部４３ａから突出する大径係合部４３ｂと、この大径係合部４３ｂから突出する小径係合部４３ｃとから成る。また前記小支持板４４には、嵌合筒部４０の周囲に形成した複数個のネジ孔４０ａと符合する貫通孔小孔４４ａや前記クラッチボタン４３の大径係合部４３ｂが摺動係合する支持係合孔４４ｂがそれぞれ形成されている。
【００２８】
（８）サムターン係脱機構Ｙを構成する部材
サムターン係脱機構Ｙは、内側シリンダー１０、該内側シリンダーの駆動力を変換する動力変換上下動部材２０、クラッチボタン用支持筒或いは嵌合筒部４０を有するサムターン７、前記嵌合筒部に組込まれたクラッチボタン４３を介して連動し、かつ、施錠片４を回転させる施錠片用連動部材３０、該連動部材と動力変換上下動部材の間に組込まれかつ内側シリンダーをキーで操作すると、連動部材３０に係合している前記クラッチボタン４３のクラッチ状態を解消させることができるように、動力変換上下動部材の移動方向に対して交差方向へ移動する制御板２５を特定要件とする。
【００２９】
（９）サムターン係脱機構Ｙの作用
ここではサムターン係脱機構Ｙのクラッチボタン４３が連動部材３０から係合状態（クラッチ）が解かれる場合について説明する。
【００３０】
まず、クラッチボタン４３の大径係合部４３ｂが連動部材３０の係合垂直壁３５ｂの係合孔３７に係合している場合に於いて、今仮にお出かけの際にサムターン７をフリーな状態にしょうとする場合には、図１０で示すように、例えば外側シリンダーにも使える共用キー１４を内側シリンダー１０に差込み、係合解除方向へ回す。
【００３１】
そこで、内側シリンダー１０の駆動歯車１３が回転すると、動力変換上下動部材２０は矢印で示すように下降する。そうすると、前述したように制御板２５は、矢印で示すように案内固定軸１６に案内されながら連動部材３０側へ前進する。その結果、クラッチボタン４３は、バネ４２のバネ力に抗しながら制御板２５の前壁２５ａに押され、その大径係合部４３ｂは係合垂直壁３５ｂの係合孔３７から外れる。
【００３２】
したがって、サムターン７の摘み部３ｂを摘んで上下方向に操作しても、クラッチボタン４３の小径係合部４３ｃは、逃し用垂直案内長孔３６内を移動するだけなので、連動部材３０にサムターン７側の動力が伝わらない。それ故に、泥棒によって施錠片４の施錠状態が解かれる心配がない。
【００３３】
これに対し、図１２は、共用キー１４を逆方向へ所定量回転した結果、サムターン係脱機構Ｙのクラッチボタン４３が連動部材３０に係合している（クラッチが入っている）状態である。共用キー１４で駆動歯車１３を逆方向へ回転させると、動力変換上下動部材２０は矢印で示すように上昇する。そうすると、制御板２５は傾斜案内長孔２７，２７等に案内されながら動力変換上下動部材２０側へと戻る。その結果、クラッチボタン４３は、バネ４２のバネ力により制御板２５に追従して突出し、その大径係合部４３ｂが係合垂直壁３５ｂの係合孔３７に係合する。
【００３４】
したがって、サムターン７を矢印、本実施例では上方方向へスライドさせると、連動部材３０はクラッチボタン４３を介して上方へと移動する（図１０参照）。それ故に、施錠片４は、支軸３９を支点に後退回転し、縦枠Ｚの受け金具３からその先端部が離れる。
【００３５】
（１０）外枠部材と外側シリンダー
サムターン用外枠部材（座体）５には、図６で示すように外側シリンダー５０が固定的に装着されている。外側シリンダー５０は一端部が凹所状嵌合部５１に支持されていると共に、その余の部分は、外枠部材５に固着手段を介して固定されたシリンダー用固定筒５６に支持されている。
【００３６】
本実施例では、前述したように一つの引戸１に内外のシリンダー１０．５０を上下方向に所要間隔を有して内装するように横設している。そこで、図７で示すように、外枠部材５の内側シリンダー１０用嵌合部６の上位の適宜部位には、外側シリンダー５０用横向き凹所状嵌合部５１が形成されている。また、外枠部材５の内壁面には、前記嵌合部５１に連通する縦方向の収納凹所５２が形成され、該縦型収納凹所５２には、外側シリンダー５０の出力軸に固定された伝動歯車５３と噛合する縦方向の摺動ラック５４が組み込まれる。このラック５４は、図５で示すように、下端部に施錠片用連動部材３０の連結係合部３２に係合する連結被係合部（例えば角型係合孔）５５が形成されている。
【００３７】
したがって、図１４及び図１５で示すように、本実施例では連動部材３０の一端部には、外側シリンダー５０の伝動歯車５３と噛合するラック５４が一体的に連結されている。なお、外枠部材には、その他サムターン7用の窓、固着具用の取付け孔などが適宜に形成されている。
【００３８】
（１１）連動部材の共用
図１２で示すように、内側シリンダーにキーを差込み、キー操作により制御板が後退し、クラッチボタン４３が連動部材３０の係合孔３７に係合した状態に於いて、サムターン７を押し下げると、図１３で示すように連動部材３０が下降し、施錠片４が突出する。この点、外側シリンダー５０の場合も同様である。例えば外側シリンダー５０に共用キー１４を差込み、所定量回転すると、施錠片用連動部材３０は上下動する。
【実施例】
【００３９】
発明の実施の形態で示した実施例に於いて、連動部材３０の一端部には、連結係合部３２・連結被係合部５５を介して外側シリンダー５０の伝動歯車５３と噛合するラック５４が一体的に連結されているが、連動部材３０の一端部を適宜に延伸し、該延伸した上端部にラック５４を形成しても良い（実質的に同一）。また、内部空間を有効的に活用するために、サムターン７の内壁面に嵌合筒部（嵌合凹所）４０を形成しているが、先行技術のようにサムターン７の内壁面から突出する支持筒であっても良い（実質的に同一）。
【００４０】
さらに、制御板２５は、水平案内長孔２６，２６を介して取付け収納体の案内固定軸１６に支持されて水平移動する。しかし、制御板２５を収納体の左右側壁に設けた左右1対の突起軸で支持しても良い（実質的に同一）。
【産業上の利用可能性】
【００４１】
本発明は、建具や錠前業界において、主に戸先錠を有する引戸に利用される。
【図面の簡単な説明】
【００４２】
図１乃至図１５は本発明の実施形態の一例を示す各説明図である。
【図１】実施形態の一例を平面側から見た概略断面説明図。
【図２】実施形態の一例を室内側から見た場合概略断面説明図。
【図３】１枚の引戸に装着した場合に於いて、図２の矢印Ａ方向から見た場合概略断面説明図（一部切欠ている）。
【図４】図３を基準にした概略断面説明図。
【図５】連動部材を中心とする主要部の分解斜視図。
【図６】外枠部材、サムターンを中心とする主要部の分解斜視図。
【図７】主要部の各部材を組み合わせた状態の概略説明図。
【図８】主要部の各部材を組み合わせた状態の概略説明図。
【図９】内側シリンダー、動力変換上下動部材、制御板等の関係を示す説明図。
【図１０】内側シリンダーにキーを差込み、キー操作により制御板が前進し、クラッチが連動部材から外れた状態の概略説明図。
【図１１】連動部材にクラッチボタンが作用していない（係合解消）状態の説明図。
【図１２】内側シリンダーにキーを差込み、キー操作により制御板が後退し、クラッチが連動部材に係合した状態の概略説明図。
【図１３】サムターン又は外側シリンダーの駆動力により、連動部材が上下動する時の施錠片の動きを示す説明図。
【図１４】外側シリンダーと連動部材との関係を示す説明図。
【図１５】外側シリンダーと連動部材との関係を示す斜視図。
【符号の説明】
【００４３】
Ｘ…戸先錠、Ｙ…サムターン係脱機構、Ｚ…縦枠、Ｗ…壁、１…引戸、２…取付け収納体、３…受け金具、４…施錠片、５…外枠部材、６．５１…嵌合部、７…サムターン、７ａ…スライド部、７ｂ…摘み部、１０…内側シリンダー、１３…駆動歯車、１４…キー、１６…案内固定軸、２０…動力変換上下動部材、２１…係合駆動部、２２…ラック部、２５…制御板、２６…水平案内長孔、２７…傾斜案内長孔、３０…連動部材、３１…縦長端板、３２…連結係合部、３３…垂直案内長孔、３５…前壁、３６…垂直案内長孔、３９…支軸、４０…クラッチボタン用支持筒或いは嵌合筒部、４２…バネ、４３…クラッチボタン、４３ｂ…大径係合部、４３ｃ…小径係合部、４４…小支持板、５０…外側シリンダー、５１…凹所状嵌合部、５２…収納凹所、５３…伝動歯車、５４…ラック、５５…連結被係合部。
【図１】
2005120606.tif 000003
【図２】
2005120606.tif 000004
【図３】
2005120606.tif 000005
【図４】
2005120606.tif 000006
【図５】
2005120606.tif 000007
【図６】
2005120606.tif 000008
【図７】
2005120606.tif 000009
【図８】
2005120606.tif 000010
【図９】
2005120606.tif 000011
【図１０】
2005120606.tif 000012
【図１１】
2005120606.tif 000013
【図１２】
2005120606.tif 000014
【図１３】
2005120606.tif 000015
【図１４】
2005120606.tif 000016
【図１５】
2005120606.tif 000017